(57)【要約】【課題】 容器本体及び蓋体の強度を強化させて再封性と開封性がより良好で、また搬送中等に生ずる内容物の移動や片寄りが確実に防止され、しかも内容物の取り出しが更に容易な包装容器を提供する。【解決手段】底部３を有する容器本体１の側面部８の周縁１１に矩形環状の突起フランジ１０が形成され、突起フランジ１０の内周に落込段部１２が形成されているとともに、蓋体２の蓋部４の周縁１３に突起フランジ１０に嵌合する受フランジ１４が形成されて、この受フランジ１４の内周に落込段部１２に嵌合する落込突部１５が形成された容器本体１と蓋体２からなる包装容器において、容器本体１における落込段部１２の四隅と蓋体２における落込突部１５の四隅に相互に係合する略水平部１６ｃ，１７ｃを挟んで配置される外側に傾斜した落込傾斜部１６ａ，１６ｂ，１７ａ，１７ｂをそれぞれ形成した。【選択図】図１
2012071897.tif 000002
【特許請求の範囲】
【請求項１】
底部を有する容器本体の側面部周縁に矩形環状の突起フランジが形成され、該突起フランジの内周に落込段部が形成されているとともに、蓋体の蓋部周縁に前記突起フランジに嵌合する受フランジが形成されて、この受フランジの内周に前記落込段部に嵌合する落込突部が形成された容器本体と蓋体からなる包装容器において、前記容器本体における落込段部の四隅と前記蓋体における落込突部の四隅に相互に係合する２段からなる頂部から底部へ向けて外側に傾斜した略水平部を挟んで配置される一対の落込傾斜部と、前記落込傾斜部と対応する２段からなる頂部から底部へ向けて外側に傾斜した略水平部を挟んで配置される一対の落込傾斜部を備えた蓋体から形成されていることを特徴とする包装容器。
【請求項２】
前記容器本体における落込段部の四隅の下方に補強用段部が形成されている請求項１に記載の包装容器。
【発明の詳細な説明】
【技術分野】
【０００１】
本発明は、切り昆布の佃煮等のような食品を密封状態に収容する包装容器、特に合成樹脂シートを押型・成形して形成された比較的浅い蓋付箱状を呈する包装容器に関するものである。
【背景技術】
【０００２】
従来、切り昆布の佃煮等のような食品を密封状態に収容する包装容器として種々のものがあるが、合成樹脂シートを押型・成形して形成された比較的浅い蓋付箱状を呈するものが知られており、これらの包装容器は容器本体の側面部周縁に矩形状の突起フランジが形成され、一方蓋体の蓋部周縁に、その突起フランジに嵌合する矩形状の受フランジを形成させた構造になっている。
【０００３】
しかしながら、容器本体の突起フランジに蓋体の受フランジが単に嵌合して封鎖される構造の包装容器にあっては、一般的に容器本体と蓋体の強度が使用状態によっては十分とは言えず、不注意に蓋体開封を行うと、容器本体と蓋体の周縁、特に容器本体の突起フランジと蓋体の受フランジ内周の四隅部分、或いは各フランジ部分が変形し易く、繰り返し開閉を行っても密封性が失われない再封性に欠ける場合があり、密封性を追求するあまり開けにくい面もあった。
【０００４】
特に、この種の容器では、佃煮などの内容物における品質保持期間を確保する目的で容器本体の突起フランジと蓋体の受フランジとの間に熱可塑性や熱硬化性の接着剤層を介在させて熱溶着により開封可能に密封するものが殆どであり、そのため、蓋体が開けにくく、また、開封したときに変形し易く、再封性に欠けるという問題がより顕著である。
【０００５】
更に、容器本体の底面は、一般に部分的に凹凸面が施されているが、凹凸形状にしただけでは、搬送中や移動中に内容物が一方側へ移動、又は片寄った収容が生ずる。また、内容物を取出す際に、容器底面にへばり付いて取り出し難いと言った問題もあった。
【先行技術文献】
【特許文献】
【０００６】
【特許文献１】特開２００５−８２５４号公報
【特許文献２】特開２０００−２０３６０８号公報
【発明の概要】
【発明が解決しようとする課題】
【０００７】
本発明は、上記のような問題点を解決するためになされたものであり、容器本体及び蓋体の強度を強化させて再封性と開封性がより良好で、また搬送中等に生ずる内容物の移動や片寄りが確実に防止され、しかも内容物の取り出しが更に容易な包装容器を提供することを課題とする。
【課題を解決するための手段】
【０００８】
前記課題を解決するためになされた本発明に係る包装容器は、底部を有する容器本体の側面部周縁に矩形環状の突起フランジが形成され、該突起フランジの内周に落込段部が形成されているとともに、蓋体の蓋部周縁に前記突起フランジに嵌合する受フランジが形成されて、この受フランジの内周に前記落込段部に嵌合する落込突部が形成された容器本体と蓋体からなる包装容器において、前記容器本体における落込段部の四隅と前記蓋体における落込突部の四隅に相互に係合する外側に傾斜した落込傾斜部がそれぞれ形成され、容
器本体の中心部外周と蓋体の蓋中央部外周に、相互に噛合する犬歯突起を配置すると、犬歯突起が犬歯としての役割を果たして、収容された内容物を上下各四本の犬歯による噛合によって挟持して、包装容器の搬送や移動による内容物の移動や片寄り収容が防止されることを特徴とする。
【０００９】
更に、容器本体の底部に、中心部外周に単形状又は複数形状の錐形状突起を形成し、これらの錐形状突起群が滑り止めとして作用し、特に錐形状突起がストッパ効果を果たして、包装容器の搬送や移動による内容物の移動や片寄り収容が防止される。
【００１０】
また、落込段部と落込突部の四隅に形成された落込傾斜部が支持板乃至は補強板としての役割を果たし、容器本体の周縁及び蓋体の蓋部の周縁の強度、特に容器本体と蓋体の周縁四隅の強度が強化されて開封の際の変形が防止され、再封性と開封性が維持される。
【発明の効果】
【００１１】
以上の手段を有する本発明によれば、容器本体及び蓋体の強度を強化させて再封性と開封性が良好で、また搬送中等に生ずる内容物の移動や片寄りが防止され、しかも内容物の取り出しが容易になる。
【図面の簡単な説明】
【００１２】
【図１】本発明の一実施の形態に係る蓋体を開けた状態の包装容器の分解斜視図である。
【図２】図１に示した実施の形態において蓋体を閉じた場合のＡ−Ａ線に沿う拡大断面図である。
【図３】図１に示した実施の形態において蓋体を閉じた場合のＢ−Ｂ線に沿う拡大断面図である。
【図４】本発明の他の実施の形態に係る包装容器の分解斜視図である。
【発明を実施するための形態】
【００１３】
以下、図面に示した本発明の実施の形態について、説明する。図１は、本発明の一実施の形態に係る蓋体を開けた状態の包装容器の分解斜視図、図２はその蓋体を閉じた状態（図示せず）のＡ−Ａ拡大断面図、図３はそのＢ―Ｂ拡大断面図である。
【００１４】
この実施形態の包装容器は、底部３を有する容器本体１と容器本体１を封鎖する蓋体２からなる。容器本体１と蓋体２は、塩化ビニル，ポリエチレンやポリエチレンテレフタート等の合成樹脂シートで製造されている。容器本体１は、底部３が最も狭く開口上方に向かって漸次拡大する矩形状容器になっている。蓋体２は、平坦な広い板状の蓋部４を有する矩形状蓋になっている。
【００１５】
容器本体１の底部３は、中央部に矩形の平坦部５を有し、平坦部５の外周にはピラミッド（四角錐）状の錐形状突起６が複数模様状に配置され、ストッパの役割を果たして内容物の移動を防止している。
【００１６】
即ち、容器本体１に収容された内容物が搬送等の際にずれるのを防止して容器本体１の中央に留まるようにしている。また、箸等を使用して内容物を取り出す際にも、錐形状突起６によって、内容物と底面との間に隙間が生ずるので、容器底面にへばり付くことがなく、容易に取り出すことができ、まだ食べずに残った内容物は、容器本体１の中央部に集め再封鎖して、気密保存することができる。
【００１７】
容器本体１の側面部８には、縦リブ９が縦格子状に配置され、側面を強化している。側面部８の周縁１１には矩形環状に突出した突起フランジ１０が形成され、また突起フラン
ジ１０の内周には落込んだ落込段部１２が形成されている。蓋体２は、蓋部４の周縁１３には突起フランジ１０に嵌合する受フランジ１４が形成されている。受フランジ１４の内周には落込段部１２に嵌合する降下した落込突部１５が形成されている。この突起フランジ１０と受フランジ１４の嵌合によって容器本体１と蓋体２の気密性が図られ、更に落込段部１２と落込突部１５の嵌合によってより高い気密性が得られる。
【００１８】
容器本体１の落込段部１２は２段になっており、その下段の落込の四隅には、それぞれ頂部から底部へ向けて外側に傾斜した略水平部１６ｃを挟んで配置される一対の落込傾斜部１６ａ，１６ｂが形成されている。一方、蓋体２の落込突部１５は、同様に２段になっており、その下段の落込の四隅には、それぞれ頂部から底部へ向けて外側に傾斜した略水平部１７ｃを挟んで配置される一対の落込傾斜部１７ａ，１７ｂが形成されている。これらの落込段部１２と落込突部１５に形成された落込傾斜部１６ａ，１７ａ及び１６ｂ１７ｂは、容器本体１を蓋体２で封鎖した際に、相互に係合して落込段部１２と落込突部１５の強度、特にそれらの四隅の強度が強化されると共に、嵌合強度が高められて包装容器の四隅の気密性が高められる。
【００１９】
容器本体１の突起フランジ１０には、その各辺の外側の位置に凹んだ連続する一条の補強リブ１８が突起フランジ１０の軸線に沿って形成されている。一方、蓋体２の受フランジ１４には、補強リブ１８に対応させて各辺の外側の位置に突起した連続する一条の補強リブ１９が受フランジ１４の軸線に沿って形成されている。この補強リブ１９は、連続する一条のリブで形成してもよいが、図に示すように断続する複数のリブで構成されている。因みに、補強リブ１９を複数のリブで構成すると、強度が強化できる。
【００２０】
特に、本実施の形態では、容器本体１における落込段部１２の四隅の下方に補強用段部２０が形成されており、より容器本体１の強度が増している。
【００２１】
この包装容器を使用する際には、容器本体１に食品等の内容物を収容して不活性ガス（窒素ガス）を充填後、予め容器本体１の突起フランジ１０または蓋体２の受フランジ１４の少なくとも一方に施した熱可塑性の接着剤や熱硬化性の接着剤からなる接着シートを用いて熱圧着等で容器本体１と蓋体２とを密閉する。このようにすることによって、内容物の長期保存を可能にするばかりか容器本体１及び蓋体２自体の強度が強化させて再封性と開封性が良好になる。
【００２２】
図４は、本発明の他の実施形態を示したものである。この実施形態の収容容器は、容器本体１の中央平坦部５の外周の各角部に犬歯突起２１を配置し、これに対応させて蓋体２の蓋部４の中央部外周の各角部に犬歯突起２２を配置した構造になっている。この場合、容器本体１を蓋体２で封鎖した際に、内容物を上下各４つの犬歯突起２１，２２で噛み挟むことによって、搬送等の際の内容物の移動や片寄りを防止している。
【００２３】
この場合も、容器本体１の平坦部５の外周にはピラミッド（四角錐）状の錐形状突起６が複数模様状に配置されているので、これらの突起６がストッパの役割を果たし、内容物の移動が確実に防止される。その他の構成については、前記実施の形態と同様であるので、説明は省略する。
【００２４】
本発明は、上記実施の形態に限定されるものではない。例えば、落込段部及び落込突部に形成する落込傾斜部は、落込段部及び落込突部の上段側に形成してもよいことは言うまでもない。また上記実施の形態では、突起フランジ，受フランジに形成される補強リブは、連続するリブ又は断続する複数のリブからなる一条のリブで構成されているが、複数条のリブで構成してもよく、それらのリブは、連続するリブからなるものでも、断続するリブからなるものでもよい。
【００２５】
補強リブの形成位置は、突起フランジ及び受フランジの各辺の内側，外側，中心等が選べる。なお、両フランジに形成される補強リブについては、気密性を確保する観点から、相互に嵌合することが必要である。また、容器本体の底部に形成される錐形状突起は、ピラミッド（四角錐）に限らず、円錐形，三角錐形，その他の多角錐形状にすることができる。
【符号の説明】
【００２６】
１ 容器本体、２ 蓋体、３ 底部、４ 蓋部、６ 錐形状突起、８側面部、１０ 突起フランジ、１１ 周縁、１２ 落込段部、１３ 周縁、１４ 受フランジ、１５ 落込突部、１６
ａ，１６ｂ，１７ａ，１７ｂ  落込傾斜部、 １８，１９ 補強リブ、２０ 補強用段部、
２１，２２ 犬歯突起
【図１】
2012071897.tif 000003
【図２】
2012071897.tif 000004
【図３】
2012071897.tif 000005
【図４】
2012071897.tif 000006